(57)【要約】【課題】動作履歴情報を記憶する動作ログ記憶手段を備えるものにあって、解析用機材を車内に持込むことなく、動作ログ記憶手段から動作履歴情報を簡単に取出すことができると共に、システム内のデータの改変や削除を防ぐ。【解決手段】プラグアンドプレイに準拠するデバイス２０が外部から接続可能な接続ポート１５ａを設ける。前記接続ポート１５ａにデバイス２０が接続されたことを接続検出手段１０ａにより検出すると、判断手段１０ｂにより、そのデバイス２０が、特定ファイルを有する動作ログ書込み用デバイス２０であるかどうかを判断する。判断手段１０ｂにより動作ログ書込み用デバイス２０の接続が判断されたときに、書込み手段１０ｃにより、動作ログ記憶手段１１に記憶された動作履歴情報を書込み用デバイス２０に書込む。【選択図】図２
2016060328.tif 000002
【特許請求の範囲】
【請求項１】
車両に搭載されるものであって、動作履歴情報を記憶する動作ログ記憶手段（１１）を備える車載システム（１）において、
プラグアンドプレイに準拠するデバイス（２０）が接続可能な接続ポート（１５ａ）と、
前記接続ポート（１５ａ）にデバイス（２０）が接続されたことを検出する接続検出手段（１０ａ）と、
前記接続ポート（１５ａ）に接続されたデバイスが、特定ファイルを有する動作ログ書込み用デバイス（２０）であるかどうかを判断する判断手段（１０ｂ）と、
前記判断手段（１０ｂ）により動作ログ書込み用デバイス（２０）の接続が判断されたときに、前記動作ログ記憶手段（１１）に記憶された動作履歴情報を該動作ログ書込み用デバイス（２０）に書込む書込み手段（１０ｃ）とを備えることを特徴とする車載システム。
【請求項２】
前記接続ポート（１５ａ）はＵＳＢポートであり、前記動作ログ書込み用デバイス（２０）はＵＳＢメモリからなることを特徴とする請求項１記載の車載システム。
【発明の詳細な説明】
【技術分野】
【０００１】
本発明は、車両に搭載されるものであって、動作履歴情報を記憶する動作ログ記憶手段を備える車載システムに関する。
【背景技術】
【０００２】
例えばナビゲーション機能やオーディオ機能などを搭載した車載システムにおいては、製品の市場への発表（発売）後に、意図しない動作をしたり、動作不良が起こったりすることがある。そこで、従来、車載システムの動作履歴の情報（動作ログ）をシステムのメモリ内に蓄積・記憶しておき、必要時にメモリから動作ログのデータを読出して、不具合の解析などに利用することが行われている（例えば特許文献１参照）。
【０００３】
一般に、車載装置は車内から簡単に取外すことができないため、不具合の解析のためにメモリから動作ログのデータを読出すためには、ユーザがパソコン等の解析用機材を車内に持込み、車載ステムに接続してメモリ内の動作ログのデータを解析用機材にコピーすることが行われる。そして、ユーザは、その解析用機材を車両から外部に持出して、不具合の解析等の処理を行うようになっている。
【先行技術文献】
【特許文献】
【０００４】
【特許文献１】特開２０１２−１８５５５８号公報
【発明の概要】
【発明が解決しようとする課題】
【０００５】
しかしながら、パソコン等の解析用機材を車内に持込んで動作ログのデータを読出して解析する場合、全体的に手順が煩雑となる。そればかりか、車内では解析用機材用の電源を得ることが難しかったり、接続用Ｉ／Ｆが見つからずケーブルの接続が簡単にできなかったりするケースがあり、解析用機材を車内に持込んで接続すること自体が容易でないことが多い。
【０００６】
更には、パソコン等の解析用機材が接続できた場合でも、解析用機材がシステムにアクセスできるため、意図せずにシステム内のデータの改変や削除がなされてしまうことを完全には防止できない事情がある。そのため、解析用機材を車内に持込んで接続する作業が許される者として、システムの知識をもった技術者に限定されてしまうという問題点もあった。
【０００７】
本発明は上記事情に鑑みてなされたものであり、その目的は、動作履歴情報を記憶する動作ログ記憶手段を備えるものにあって、解析用機材を車内に持込むことなく、動作ログ記憶手段から動作履歴情報を簡単に取出すことができると共に、システム内のデータの改変や削除を防ぐことができる車載システムを提供するにある。
【課題を解決するための手段】
【０００８】
本発明の車載システムは、車両に搭載されるものであって、動作履歴情報を記憶する動作ログ記憶手段（１１ａ）を備える車載システム（１）において、プラグアンドプレイに準拠するデバイス（２０）が接続可能な接続ポート（１５ａ）と、前記接続ポート（１５ａ）にデバイス（２０）が接続されたことを検出する接続検出手段（１０ａ）と、前記接続ポート（１５ａ）に接続されたデバイスが、特定ファイルを有する動作ログ書込み用デバイス（２０）であるかどうかを判断する判断手段（１０ｂ）と、前記判断手段（１０ｂ）により動作ログ書込み用デバイス（２０）の接続が判断されたときに、前記動作ログ記憶手段（１１）に記憶された動作履歴情報を該動作ログ書込み用デバイス（２０）に書込む書込み手段（１０ｃ）とを備えるところに特徴を有する（請求項１の発明）。
【０００９】
これによれば、接続ポート（１５ａ）にプラグアンドプレイに準拠するデバイス（２０）が接続されると、接続検出手段（１０ａ）によりデバイス（２０）が検出され、判断手段（１０ｂ）により、そのデバイスが特定ファイルを有する動作ログ書込み用デバイス（２０）であるかどうかが判断される。そして、判断手段（１０ｂ）により動作ログ書込み用デバイス（２０）が接続されたと判断されたときに、書込み手段（１０ｃ）により、動作ログ記憶手段（１１ａ）に記憶されている動作履歴情報が、該動作ログ書込み用デバイス（２０）に書込まれる。
【００１０】
従って、ユーザは、特定ファイルを有する動作ログ書込み用デバイス（２０）を、接続ポート（１５ａ）に接続するだけで、動作ログ記憶手段（１１ａ）に記憶された動作履歴情報が動作ログ書込み用デバイス（２０）に自動的に書込まれるようになる。この場合、パソコン等の解析用機材を車内に持込むことなく、動作ログ書込み用デバイス（２０）を持込むだけで済み、また、動作ログ書込み用デバイス（２０）を接続ポート（１５ａ）に接続するという極めて簡単な操作で、動作履歴情報を取得することができる。しかも、システムに外部からアクセスするものではないため、システム内のデータの改変や削除を未然に防止することができる。
【図面の簡単な説明】
【００１１】
【図１】本発明の一実施形態を示すもので、車載システムの電気的構成を概略的に示す図
【図２】制御部のソフトウエア構成を含む要部構成を模式的に示す図
【図３】制御部が実行する動作ログ情報の書込みの処理手順を示すフローチャート
【発明を実施するための形態】
【００１２】
以下、本発明を具体化した一実施形態について、図面を参照しながら説明する。図１は、本実施形態に係る車載システム１のシステム構成を概略的に示している。この車載システム１は、制御部１０、記憶部１１、表示部１２、操作部１３、通信部１４、外部インターフェース１５等を備えている。前記通信部１４は、外部との無線通信を行うもので、他の通信機器（例えばスマートフォン等）との間でBluetooth（登録商標）方式での接続も可能に構成されている。
【００１３】
また、車載システム１は、本実施形態では、ナビゲーションシステム或いはオーディオシステムとして機能する。尚、車載システム１は、ナビゲーション機能やオーディオ機能を制御部１０にて実現する構成としても良いし、制御部１０に接続された別体のＥＣＵ（Electronic Control Unit）によってそれら機能を実現する構成であっても良い。ナビゲーション機能やオーディオ機能を備えていない構成であっても良い。
【００１４】
そして、図２にも示すように、前記外部インターフェース１５には、接続ポートとしてのＵＳＢポート（ＵＳＢコネクタ）１５ａが含まれており、このＵＳＢポート１５ａは、例えば車室内のアームレスト部分に設けられている。周知のように、このＵＳＢポート１５ａは、プラグアンドプレイ（ＰｎＰ）に準拠するデバイスとしてのＵＳＢメモリ２０が接続可能に構成されている。後述するように、前記制御部１０は、ＵＳＢポート１５ａにＵＳＢメモリ２０が接続（挿抜）されたことを自動で検出し、ＵＳＢメモリ２０の接続（挿入）時に、特定プログラムを自動で実行するようになっている。
【００１５】
詳しく図示はしないが、前記制御部１０は、ＣＰＵ、ＲＯＭ及びＲＡＭ等を有するコンピュータを主体として構成されている。このとき、制御部１０は、車載システム１の動作履歴の情報（動作ログ）を、記憶部１１に設けられた動作ログ保存領域１１ａ（図２参照）に蓄積・記憶するようになっている。前記記憶部１１は、例えば電気的に書替え可能な不揮発性メモリから構成されており、前記動作ログ保存領域１１ａが動作ログ記憶手段として機能する。
【００１６】
そして、図１に示すように、この制御部１０は、主としてそのソフトウエア的構成により、接続検出手段としての接続検出部１０ａと、判断手段としての判断部１０ｂと、書込み手段としての書込み部１０ｃとを備えている。次の作用説明（フローチャート説明）でも述べるように、前記接続検出部１０ａは、前記ＵＳＢポート１５ａにＵＳＢメモリ２０が接続されたことを検出する。
【００１７】
また、前記判断部１０ｂは、前記ＵＳＢポート１５ａに接続されたＵＳＢメモリ２０が、予め決められた特定ファイルを内部に有する動作ログ書込み用の特定ＵＳＢメモリ２０であるかどうかを判断する。更に、前記書込み部１０ｃは、前記判断部１０ｂにより動作ログ書込み用の特定ＵＳＢメモリ２０が接続されたと判断されたときに、前記記憶部１１の動作ログ保存領域１１ａに記憶された動作履歴情報を、接続されている特定ＵＳＢメモリ２０に書込むように構成されている。
【００１８】
図２は、制御部１０が備えるソフトウエア構成を模式的に示している。ここで、制御部１０は、例えばＬｉｎｕｘ（登録商標）等の汎用ＯＳを備え、このＯＳ上に複数のアプリケーション（以下、アプリと略す）が設けられる。本実施形態では、アプリとして、車載システム１の動作履歴情報を記憶部１１の動作ログ保存領域１１ａに書込んで保存させるアプリが含まれている。そして、後述するように、ＵＳＢポート１５ａにＵＳＢメモリ２０が接続されたときに、プラグアンドプレイ（ＰｎＰ）に準拠して特定のプログラムを自動で起動し、ＵＳＢメモリ２０が特定のものである場合に、該特定ＵＳＢメモリ２０に対し、動作ログ保存領域１１ａに記憶されている動作ログを書込む（コピーする）アプリが含まれている。
【００１９】
尚、前記アプリには、上記の他にも、例えば表示部１２への表示を制御するアプリ、操作部１３からの操作を受付けるアプリ、ナビＥＣＵやオーディオＥＣＵとの間の通信を行うアプリ、スピーカへ音声出力を制御するアプリ、マイクから入力された音声に例えば音声認識を行うアプリ等が含まれている。また、例えば燃料の残量の監視、ＥＴＣ車載器の管理、車両の走行に関する各種の監視・警告などを行うアプリも含まれている。
【００２０】
次に、上記構成の作用について、図３も参照して述べる。図３のフローチャートは、制御部１０が実行する、動作ログ情報の取出し（書込み）の処理手順を示すものである。ここで、例えば車載システム１に意図しない動作があったり、動作不良が起こったりした場合、記憶部１１の動作ログ保存領域１１ａに記憶されている動作履歴情報を取出し、その動作履歴情報を不具合の解析に利用することが行われる。
【００２１】
本実施形態では、ユーザが、解析等のために記憶部１１の動作ログ保存領域１１ａから動作履歴情報を取出したい場合には、特定ファイルが記憶されている動作ログ書込み用の特定のＵＳＢメモリ２０を、車内（アームレスト部分）に設けられたＵＳＢポート１５ａに接続（挿入）する。すると、図３のフローチャートに示すように、制御部１０は、ＵＳＢポート１５ａに対するＵＳＢメモリ２０の接続を検出して自動で特定プログラムを実行する。
【００２２】
即ち、図３に示すように、まずステップＳ１では、ＵＳＢポート１５ａにＵＳＢメモリ２０が接続（挿抜）されたかどうかが判断される。ＵＳＢメモリ２０が接続されたと判断された場合には（ステップＳ１にてＹｅｓ）、ステップＳ２にて、特定のプログラムが起動される。次のステップＳ３では、挿入されているＵＳＢメモリ２０内に、特定ファイルが存在するかどうかが判断される。
【００２３】
特定ファイルが存在する特定ＵＳＢメモリ２０が接続された場合には（ステップＳ３にてＹｅｓ）、次のステップＳ４にて、記憶部１１の動作ログ保存領域１１ａに記憶されている動作履歴情報を、特定ＵＳＢメモリ２０に書込む（コピーする）ことが行われ、処理が完了する。これにより、ユーザは、データの書込み後の特定ＵＳＢメモリ２０をＵＳＢポート１５ａから抜出してそれを車外に持出し、パソコン等の解析用機材に動作履歴情報を読込ませて解析の作業を行うことができる。
【００２４】
尚、詳しい図示や説明は省略するが、ＵＳＢメモリ２０内に特定ファイルが存在していない場合には（ステップＳ３にてＮｏ）、上記した動作履歴情報の書込みの処理は実行されない。従って、ユーザが、別の用途で、特定ＵＳＢメモリ２０ではない他のＵＳＢメモリ２０をＵＳＢポート１５ａに接続した場合には、ＵＳＢメモリ２０に対するデータの読み書き等、通常使用できることは勿論である。
【００２５】
このように本実施例によれば、動作履歴情報を記憶する動作ログ記憶手段としての動作ログ保存領域１１ａを備えるものにあって、ユーザが、特定ファイルを有する動作ログ書込み用の特定ＵＳＢメモリ２０を、ＵＳＢポート１５ａに接続するだけで、動作ログ保存領域１１ａに記憶された動作履歴情報が特定ＵＳＢメモリ２０自動的に書込まれる。
【００２６】
従って、パソコン等の解析用機材を車内に持込むことなく、特定のＵＳＢメモリ２０を持込むだけで済み、また、特定のＵＳＢメモリ２０をＵＳＢポート１５ａに接続するという極めて簡単な操作で、動作履歴情報を取得することができる。しかも、車載システム１に外部からアクセスするものではないため、車載システム１内のデータの改変や削除を未然に防止することができる。システムの知識を特に有する者でなくとも、誰でも容易に動作履歴情報を取得することができる。
【００２７】
特に本実施形態では、接続ポートとしてＵＳＢポート１５ａを採用すると共に、動作ログ書込み用のデバイスとしてＵＳＢメモリ２０を採用した。この場合、近年では、車載システムにおいて、車両のアームレスト等にＵＳＢコネクタ１５ａを設けることが一般的に行われているため、デバイスとしてＵＳＢメモリ２０を採用したことにより、構成の複雑化を招くことなく、安価に済ませることができる。また、本実施形態では、特定ＵＳＢメモリ２０に記憶される特定ファイルの有無を確認することで、動作ログ書込み用のＵＳＢメモリ２０を容易に識別することができる。
【００２８】
尚、上記実施形態では、ＰｎＰ（プラグアンドプレイ）に準拠するデバイスとして、ＵＳＢメモリ２０を採用したが、例えば各種メモリカード等の他のデバイス（メディア）を採用しても良い。更に、デバイスに記憶される識別用の手段として、特定ファイルの有無に限らず、特定のボリュームラベルの有無など、識別が可能な各種のファイル（データ）を用いることができる。
【００２９】
また、上記実施形態では車載システム１としてナビゲーションシステムを例示したが、本発明は、ナビゲーション装置に限定されるものではなく、オーディオ装置、電話装置等、車両に搭載されている各種ＥＣＵ（Electronic Control Unit）全般を対象として適用することができる。その他、車載システムのハードウエア構成や、制御部のソフトウエア構成等についても種々の変更が可能である等、本発明は、上記した実施形態に限定されることなく、要旨を逸脱しない範囲で適宜変更して実施し得るものである。
【符号の説明】
【００３０】
図面中、１は車載システム、１０は制御部、１０ａは接続検出部（接続検出手段）、１０ｂは判断部（判断手段）、１０ｃは書込み部（書込み手段）、１１は記憶部、１１ａは動作ログ保存領域（動作ログ記憶手段）、１５ａはＵＳＢポート（接続ポート）、２０はＵＳＢメモリ（デバイス）を示す。
【図１】
2016060328.tif 000003
【図２】
2016060328.tif 000004
【図３】
2016060328.tif 000005